(57)【特許請求の範囲】
【請求項１】
屋根構造体と、
前記屋根構造体の荷重を受ける母屋および小屋梁を有する小屋裏構造体と、
小屋裏界壁パネルと、を備え、
前記小屋裏界壁パネルは、枠材と、前記枠材の両側にそれぞれ設けられる面板と、を有し、
前記小屋裏界壁パネルの上部が、接続部材により前記母屋に接続されており、
隣接する前記母屋間に架設される少なくとも二本の母屋間架設部材と、前記母屋間に架設された二本の前記母屋間架設部材に固定される固定部材と、を備え、
前記小屋裏界壁パネルの上部が前記接続部材により前記固定部材に接続されることを特徴とする小屋裏界壁パネルの接続構造。
【発明の詳細な説明】
【技術分野】
【０００１】
本発明は、小屋裏界壁パネルの接続構造に関する。
【背景技術】
【０００２】
従来、集合住宅等において、間仕切り壁によって小屋裏空間を各戸毎に間仕切ることが行われている（例えば特許文献１参照）。
【先行技術文献】
【特許文献】
【０００３】
【特許文献１】特開平８−４１４９号公報
【発明の概要】
【発明が解決しようとする課題】
【０００４】
特許文献１に記載された従来例にあっては、垂木から間仕切り壁が垂下されていた。このため、垂木が設けられている箇所にしか間仕切り壁が設けられず、間仕切り壁が設けられる位置の自由度（設計の自由度）が低いものであった。
【０００５】
本発明は上記従来の問題点に鑑みて発明したものであって、その目的とするところは、設計の自由度が高い、小屋裏界壁パネルの接続構造を提供することにある。
【課題を解決するための手段】
【０００６】
本発明の小屋裏界壁パネルの接続構造は、屋根構造体と、前記屋根構造体の荷重を受ける母屋および小屋梁を有する小屋裏構造体と、小屋裏界壁パネルと、を備え、前記小屋裏界壁パネルは、枠材と、前記枠材の両側にそれぞれ設けられる面板と、を有し、前記小屋裏界壁パネルの上部が、接続部材により前記母屋に接続されている。また、隣接する前記母屋間に架設される少なくとも二本の母屋間架設部材と、前記母屋間に架設された二本の前記母屋間架設部材に固定される固定部材と、を備え、前記小屋裏界壁パネルの上部が前記接続部材により前記固定部材に接続されることを特徴とする。
【発明の効果】
【０００８】
本発明にあっては、垂木が設けられている箇所にしか小屋裏界壁パネルが設けられないといったことがなく、設計の自由度が高いものとなる。
【図面の簡単な説明】
【０００９】
【図１】図１は一実施形態の小屋裏界壁パネルの接続構造の正面図である。
【図２】図２は一実施形態における傾斜界壁パネル（小屋裏界壁パネル）の斜視図である。
【図３】図３Ａは一実施形態における傾斜界壁パネルの正面図であり、図３Ｂは図３ＡにおけるＡ−Ａ断面図であり、図３Ｃは図３ＡにおけるＢ−Ｂ断面図である。
【図４】図４Ａは図３ＣにおけるＣ部の拡大図であり、図４Ｂは図３ＡにおけるＤ部の拡大図であり、図４Ｃは図３ＡにおけるＥ部の拡大図である。
【図５】図５Ａは一実施形態における傾斜用接続部材の第一挟持片の平面図であり、図５Ｂは第一挟持片の正面図であり、図５Ｃは第一挟持片の側面図である。
【図６】図６Ａは一実施形態における傾斜用接続部材の第二挟持片の平面図であり、図６Ｂは第二挟持片の正面図である。
【図７】図７は一実施形態における傾斜界壁パネルの下端部の小屋梁への取り付けを説明する斜視図である。
【図８】図８は一実施形態において傾斜界壁パネルの上端部を母屋へ取り付ける前の状態を示す斜視図である。
【図９】図９は一実施形態において傾斜界壁パネルの上端部を母屋へ取り付けた後の状態を示す正面図である。
【図１０】図１０は一実施形態において傾斜界壁パネルの上端部へ傾斜上目板（目板）を取り付ける前の状態を示す側面図である。
【図１１】図１１は一実施形態において隣接する傾斜界壁パネルの間に傾斜横目板（目板）を取り付けた後の状態を示す正面図である。
【図１２】図１２は一実施形態における水平界壁パネル（小屋裏界壁パネル）の斜視図である。
【図１３】図１３Ａは一実施形態における水平界壁パネルの正面図であり、図１３Ｂは図１３ＡにおけるＦ−Ｆ断面図であり、図１３Ｃは図１３ＡにおけるＧ−Ｇ断面図であり、図１３Ｄは図１３ＣにおけるＨ部の拡大図である。
【図１４】図１４Ａは一実施形態における水平用接続部材の第一挟持片の平面図であり、図１４Ｂは第一挟持片の正面図であり、図１４Ｃは第一挟持片の側面図である。
【図１５】図１５Ａは一実施形態における水平界壁パネルの上端部へ水平上目板（目板）を取り付ける前の状態を示す側面図であり、図１５Ｂは図１５ＡにおけるＩ−Ｉ断面図である。
【図１６】図１６は一実施形態における水平界壁パネルの上端部へ水平上目板（目板）を取り付けた後の状態を示す正面断面図である。
【図１７】図１７は他の実施形態における小屋裏界壁パネルの接続構造の平面図である。
【図１８】図１８Ａは他の実施形態における母屋間架設部材の平面図であり、図１８Ｂは一実施形態における母屋間架設部材の正面図である。
【図１９】図１９Ａは他の実施形態における小屋裏界壁パネルの接続構造の正面図であり、図１９Ｂは他の実施形態における母屋間架設部材と固定部材の関係を示す斜視図である。
【発明を実施するための形態】
【００１０】
本発明の小屋裏界壁パネルの接続構造の一実施形態について、添付図面に基いて説明する。本発明の小屋裏界壁パネル３の接続構造は、図１に示すように、屋根構造体１と、小屋裏構造体２と、小屋裏界壁パネル３と、を備えるものである。
【００１１】
屋根構造体１は、小屋裏構造体２に載置されて屋根を構成するものである。本実施形態では、屋根構造体１は図１に示すように、小屋裏構造体２としての後述する母屋２１に載置される垂木１１と、垂木１１の上に載置される野地板１２と、野地板１２の上に載置される折板屋根や瓦等からなる屋根材と、を備えている。なお、屋根構造体１としては、垂木１１と野地板１２と屋根材とを備える上述したものに特に限定されない。
【００１２】
小屋裏構造体２は、建物の荷重を受ける構造体の一部を構成して、屋根構造体１の荷重を受けるものである。本実施形態では、小屋裏構造体２は、図１に示すように、垂木１１が載置される母屋２１と、小屋梁２２と、を備えている。なお、母屋２１とは、いわゆる棟木や軒桁を含む、主に垂木１１が載置される横架材をいうものとし、狭義の母屋２１に限定されないものとする。
【００１３】
母屋２１は、金属製の型材が用いられる。母屋２１を構成する型材としては、特にＨ型材が好適に用いられるが、断面コ字状やＣ字状をした型材（いわゆるチャンネル材等）が用いられてもよく、断面形状は特に限定されない。本実施形態では図１に示すように、母屋２１はＨ型鋼により形成されている。母屋２１を形成するＨ型鋼は、上フランジ、下フランジおよびウェブを有する転倒Ｈ字状に配置されている。
【００１４】
小屋梁２２は、小屋裏空間の構造体を構成する横架材のうち、平面視において垂木１１の長手方向と平行に垂木１１の下方に設けられる横架材をいうものとする。また、小屋裏空間の構造体を構成する横架材のうち、母屋２１に平行な方向を長手方向とする横架材を桁というものとする。
【００１５】
小屋梁２２および桁は、金属製の型材が用いられる。小屋梁２２および桁を構成する型材としては、特にＨ型材が好適に用いられるが、断面コ字状やＣ字状をした型材（いわゆるチャンネル材等）が用いられてもよく、断面形状は特に限定されない。本実施形態では図１に示すように、小屋梁２２および桁はＨ型鋼により形成されている。小屋梁２２および桁を形成するＨ型鋼は、上フランジ、下フランジおよびウェブを有する転倒Ｈ字状に配置されている。
【００１６】
また、小屋梁２２の上に束２３が適宜載置され、この束２３の上に母屋２１が載置される構成となっていてもよい。
【００１７】
小屋裏界壁パネル３は、図２、図３に示すように、小屋裏空間の間仕切り壁を構成するもので、主に、集合住宅において各戸毎に小屋裏空間を間仕切るのに用いられるが、用途や目的は特に限定されない。
【００１８】
小屋裏界壁パネル３は、枠材４と、面板５と、を少なくとも有するものである。枠材４は、面板５を保持するとともに、小屋裏構造体２に固定されるものである。本実施形態では、枠材４は、上枠４１と、下枠４２と、上枠４１および下枠４２の間に設けられる縦枠４３と、を備えるものである。枠材４は、金属製の部材（特に、溶融亜鉛めっき鋼板等の鋼材）により形成されることが好ましいが、特に限定されない。
【００１９】
また本実施形態では、上枠４１が傾斜する小屋裏界壁パネル３Ａと、上枠４１が水平な小屋裏界壁パネル３Ｂの二種類がある。以下においては便宜上、上枠４１が傾斜する小屋裏界壁パネル３を傾斜界壁パネル３Ａとし、上枠４１が水平な小屋裏界壁パネル３を水平界壁パネル３Ｂとする。
【００２０】
まず、傾斜界壁パネル３Ａについて説明する。傾斜界壁パネル３Ａは、垂木１１の長手方向に沿って間仕切り壁を設置する場合に用いられる。
【００２１】
上枠４１は、本実施形態では図４Ａに示すように、上ランナー４１１と、上補強枠４１２と、目板固定ランナー４１３と、を有している。上ランナー４１１は、下方に開口する断面コ字状をしたチャンネル材のようなもので、縦枠４３および後述する吸音材３２の上端部を保持するとともに、面板５が固定される。上補強枠４１２は、横方向に開口する断面コ字状をしたチャンネル材のようなもので、その下片が上ランナー４１１の上片に固定されて、上枠４１の剛性および強度を向上させる。目板固定ランナー４１３は、上方に開口する断面コ字状をしたチャンネル材のようなもので、その下片が上補強枠４１２の上片に固定される。目板固定ランナー４１３は、後述する目板を保持するとともに、面板５が固定される。上ランナー４１１と上補強枠４１２の固定、上補強枠４１２と目板固定ランナー４１３の固定には、スポット溶接をはじめとする溶接やろう付け、嵌合やかしめ、ビスどめ等の既存の様々な方法が適宜適用可能である。
【００２２】
なお、本実施形態では、上枠４１は上述したような上ランナー４１１と上補強枠４１２と目板固定ランナー４１３とを有しているが、特にこのような構成に限定されず、縦枠４３を保持するとともに面板５が固定されるものであればよい。
【００２３】
上枠４１は、図１に示すように、屋根構造体１の傾斜（特に野地板１２、垂木１１の傾斜）に沿って傾斜するように、傾斜界壁パネル３Ａに設けられる。
【００２４】
下枠４２は、本実施形態では図３Ｃ、図７に示すように、下ランナー４２１と、下ランナー受部材４２２と、を有している。下ランナー４２１は、上方に開口する断面コ字状をしたチャンネル材のようなもので、縦枠４３および吸音材３２の下端部を保持するとともに、面板５が固定される。下ランナー受部材４２２は、逆ハット状をしたもので、その上片が下ランナー４２１の下片に固定されている。下ランナー４２１と下ランナー受部材４２２の固定には、スポット溶接をはじめとする溶接やろう付け、嵌合やかしめ、ビスどめ等の既存の様々な方法が適宜適用可能である。そして、この下ランナー受部材４２２が小屋梁２２や桁等に固定されることにより、下枠４２が小屋梁２２や桁等に固定されるものである。なお、本実施形態では、下枠４２は上述したような下ランナー４２１と下ランナー受部材４２２とを有しているが、特にこのような構成に限定されず、縦枠４３を保持するとともに面板５が固定されて、小屋梁２２や桁等に固定されるものであればよい。
【００２５】
縦枠４３（スタッド）は、本実施形態では図３Ｂに示すように、平面視ロ字状をした中空部材により構成されている。縦枠４３により上枠４１および下枠４２が接続されて、上枠４１と下枠４２と縦枠４３とで枠材４が構成される。本実施形態では、縦枠４３は、上枠４１および下枠４２の長手方向の両端部にそれぞれ設けられる側枠４３１と、両側の側枠４３１の間に設けられる中間枠４３２と、を有している。
【００２６】
縦枠４３の上端部は、上ランナー４１１の開口内に挿入されて、上ランナー４１１に固定される。縦枠４３の上端部の上ランナー４１１への固定は、スポット溶接をはじめとする溶接やろう付け、嵌合やかしめ、ビスどめ等の既存の様々な方法が適宜適用可能である。縦枠４３の下端部も同様にして、下ランナー４２１の開口内に挿入されて、下ランナー４２１に固定される。
【００２７】
本実施形態では、図３Ｂに示すように、上ランナー４１１および下ランナー４２１内において、傾斜界壁パネル３Ａの間仕切り方向に二本の縦枠４３が離間して設けられている。両縦枠４３の側面は上ランナー４１１および下ランナー４２１の内面に当接しており、両縦枠４３の間には吸音材３１が設けられている。吸音材３１としては、例えばロックウールが好適に用いられるが、グラスウールやその他の材質であってもよく、材質は特に限定されない。このように両縦枠４３の間に吸音材３１が設けられることにより、傾斜界壁パネル３Ａを介して間仕切り方向に振動や騒音が伝達されにくくなる。
【００２８】
傾斜界壁パネル３Ａは、傾斜する上枠４１の長手方向に沿って上下高さが異なるため、これに応じて縦枠４３の上下高さも異なっている。本実施形態では、図３Ａに示すように、一端側（図３Ａの右側）の側枠４３１の上下高さが最も高く、この側枠４３１の他端側（図３Ａの左側）に隣接する中間枠４３２、そのさらに他端側に隣接する中間枠４３２、他端側の側枠４３１、の順に上下高さが高い。
【００２９】
本実施形態では、上記のように枠材４が構成されているが、上枠４１、下枠４２、縦枠４３（特に側枠４３１）が一部材が折曲されて構成されていてもよく、特に上記の枠材４に限定されない。
【００３０】
図２、図３に示すように、枠材４の両側にはそれぞれ、面板５が設けられるものである。ここで、枠材４の両側とは、間仕切り方向の両側を意味している。
【００３１】
面板５は、間仕切り壁としての機能を発揮するもので、本実施形態では石膏ボードが面板５として用いられている。面板５として石膏ボードが用いられることにより、防火性能が向上する。なお、面板５としては、他にもケイ酸カルシウム板、セメント板、鋼板をはじめとする金属板等、様々な材質のものが適宜利用可能であり、特に限定されない。面板５は、間仕切り方向に見た枠材４の形状と同じまたは近似した形状に形成される。
【００３２】
本実施形態では、面板５は、二枚重ねて固定される。
【００３３】
内側に固定される内張り面板５１は、図３、図４に示すように、上枠４１（上ランナー４１１）と、下枠４２（下ランナー４２１）、縦枠４３（側枠４３１、中間枠４３２）にビスにより固定される。本実施形態では、図３Ａに示すように、上枠４１、下枠４２、縦枠４３の幅方向において外側の半幅分をあけて、各枠材４に固定されている。
【００３４】
外側に固定される外張り面板５２は、図３に示すように、内張り面板５１を介して枠材４にビスにより固定される。本実施形態では、図３Ａに示すように、下枠４２、縦枠４３の幅方向において内張り面板５１と同様に外側の半幅分をあけて、各枠材４に固定されている。外張り面板５２の上端部については、内張り面板５１の上端部よりも下側に位置している。
【００３５】
本実施形態では、図３Ｂに示すように、両面板５の間に吸音材３２が設けられる。一方の面板５（内張り面板５１）の内側面に吸音材３２が貼付され、この他方側には吸音材３２が設けられていない。吸音材３２としては、例えばロックウールが好適に用いられるが、グラスウールやその他の材質であってもよく、材質は特に限定されない。
【００３６】
傾斜界壁パネル３Ａ（小屋裏界壁パネル３）の上部は、図４Ｂに示す接続部材６（便宜上、傾斜用接続部材６Ａとする）により母屋２１に接続されるものである。傾斜用接続部材６Ａ、母屋２１の長手方向に沿う突出部２１１（下フランジ、図８参照）を挟持する挟持部６１と、傾斜界壁パネル３Ａの上部に固定される固定部６０と、を有する。挟持部６１は、第一挟持片６１１、第二挟持片６１５を有する。
【００３７】
第一挟持片６１１は、図５に示すように、母屋２１に当接する当接片６１２と、第二挟持片６１５と連結されるための連結片６１３と、を有する。当接片６１２は、連結片６１３と同一平面上に連続している。連結片６１３は、ボルト挿通孔６１４を有する。
【００３８】
第二挟持片６１５は、図６に示すように、母屋２１に当接する当接片６１６と、第一挟持片６１１と連結されるための連結片６１７と、を有する。当接片６１６は、連結片６１７と連続している。連結片６１７は、ボルト挿通孔６１８を有する。
【００３９】
図５に示すように、固定部６０は、連結片６１３から連設される連設片６０１と、連設片６０１から連設されて上部に固定されるための固定片６０２と、を有する。連設片６０１は、連結片６１３から直角に突出する。固定片６０２は、連設片６０１に対して、垂木１１の傾斜角度に応じた角度をなすヘ字状をしている。固定片６０２が、図４Ｂに示すように、上補強枠４１２に固定されるもので、本実施形態では上補強枠４１２の下片にスポット溶接をはじめとする溶接やビスどめ等の既存の様々な方法により固定される。
【００４０】
図４Ｃに示すように、上枠４１の下端部にも、傾斜用接続部材６Ａが設けられる。ただし、上枠４１の上端部に設けられる場合の向きと上下向きが反転されて、上補強枠４１２に固定される。傾斜用接続部材６Ａの挟持部６１が突出部２１１を受け入れる受け入れ方向（すなわち第一挟持片６１１および第二挟持片６１５の開口方向）は、図３Ａに示すように上枠４１の長手方向に概ね沿う方向である。
【００４１】
傾斜界壁パネル３Ａの小屋裏構造体２への取り付けについて説明する。
【００４２】
まず、図７に示すように、傾斜界壁パネル３Ａの下端部を小屋梁２２や桁等に固定する。本実施形態では、小屋梁２２の上フランジ２２１に形成されているボルト挿通孔２２２に、下ランナー受部材４２２の下片に形成されているボルト挿通孔が連通され、このボルト挿通孔とボルト挿通孔２２２にボルト４２４が挿通されて、ナット４２５により締結される。本実施形態ではさらにワッシャ４２６（特にスプリングワッシャ）が設けられる。尚、ナット４２５はあらかじめ下ランナー受部材４２２に溶接等により先付けされていてもよく、また、ナット４２５に代わってボルト挿通孔をバーリング加工の上、ねじ切りを施してもよい。
【００４３】
次に、図８に示すように、傾斜界壁パネル３Ａの上端部を母屋２１に固定する。本実施形態では、母屋２１の突出部２１１（本実施形態では下フランジ）を、上側から第一挟持片６１１が、下側から第二挟持片６１５が当接して、第一挟持片６１１と第二挟持片６１５とで突出部２１１を挟持するように、それぞれのボルト挿通孔６１４、６１８にボルト６２１が挿通されてナット６２２により締結され、図９に示すように、傾斜界壁パネル３Ａの上端部が母屋２１に固定される。尚、ナット６２２はあらかじめ第二挟持片６１５に溶接等により先付けされていてもよく、また、ナット６２２に代わってボルト挿通孔６１８をバーリング加工の上、ねじ切りを施してもよい。
【００４４】
このように、傾斜界壁パネル３Ａ（小屋裏界壁パネル３）が設けられることにより、小屋裏空間が間仕切り壁により間仕切られるが、さらに本実施形態では、目板７が設けられる。
【００４５】
目板７（便宜上、傾斜上目板７１とする）は、図１０に示すように、傾斜界壁パネル３Ａの上端部と、屋根構造体１との間に設けられる。傾斜上目板７１は、傾斜界壁パネル３Ａが有する面板５と同様の石膏ボード等からなる面板により構成される。傾斜上目板７１は、内張り面板７１１と、外張り面板７１２と、を備える。内張り面板７１１は内張り面板５１と面一となるように設けられ、外張り面板７１２は外張り面板５２と面一となるように設けられる。これにより、内張り面板５１と外張り面板５２との突き合わせ部と、内張り面板７１１と外張り面板７１２との突き合わせ部の上下位置がずれて、防火性能が向上する。
【００４６】
さらに、図１１に示すように、隣接する傾斜界壁パネル３Ａの間には、目板７（便宜上、傾斜横目板７２とする）が設けられる。傾斜横目板７２は、内張り面板５１と外張り面板５２との厚みを合わせた分の厚みを有する。傾斜横目板７２の横方向の長さは、両傾斜界壁パネル３Ａの隣接する側枠４３１の中心間距離と同じに形成されている。これにより、傾斜横目板７２が両傾斜界壁パネル３Ａの面板５の間の隙間を閉塞する。
【００４７】
このように、傾斜界壁パネル３Ａ（本実施形態ではさらに傾斜上目板７１および傾斜横目板７２）が設けられることにより、小屋裏空間が間仕切り壁により間仕切られる。
【００４８】
このとき、本発明におけるように、小屋裏界壁パネル３（傾斜界壁パネル３Ａ）の上部が接続部材６（傾斜用接続部材６Ａ）により母屋２１に接続されて小屋裏構造体２への固定が行われる。このため、従来のように、垂木が設けられている箇所にしか小屋裏界壁パネル３が設けられないといったことがなく、母屋２１が存在する箇所に適宜小屋裏界壁パネル３が設置可能となり、設計の自由度が高いものとなる。
【００４９】
また、本実施形態では、母屋２１が例えばＨ型鋼等のような突出部２１１を有するとともに、接続部材６（傾斜用接続部材６Ａ）が突出部２１１を挟持する挟持部６１を有するものであるため、小屋裏界壁パネル３の母屋２１への接続が容易となる。さらに、母屋２１が長手方向の全長に突出部２１１を有しているため、小屋裏界壁パネル３の母屋２１への接続が、母屋２１の長手方向における任意の箇所で可能となる。
【００５０】
次に、水平界壁パネル３Ｂについて説明する。水平界壁パネル３Ｂは、母屋２１の長手方向に沿って間仕切り壁を設置する場合に用いられる。
【００５１】
水平界壁パネル３Ｂの上枠４１は、本実施形態では図１２、図１３に示すように、上ランナー４１４と、上補強枠４１５と、を有している。上ランナー４１４は、傾斜界壁パネル３Ａの上ランナー４１１と同様の部材で、縦枠４３および吸音材３２の上端部を保持するとともに、面板５が固定される。上補強枠４１５は、断面Ｌ字状をしたアングル材のようなもので、その下片が上ランナー４１４の上片に固定されて、上枠４１の剛性および強度を向上させる。上ランナー４１４と上補強枠４１５の固定には、スポット溶接をはじめとする溶接やろう付け、嵌合やかしめ、ビスどめ等の既存の様々な方法が適宜適用可能である。
【００５２】
なお、本実施形態では、水平界壁パネル３Ｂの上枠４１は上述したような上ランナー４１４と上補強枠４１５とを有しているが、特にこのような構成に限定されず、縦枠４３を保持するとともに面板５が固定されるものであればよい。
【００５３】
下枠４２は、本実施形態では図１３Ａ、図１３Ｃに示すように、下ランナー４２１と、下ランナー受部材４２２と、を有している。下ランナー４２１は、傾斜界壁パネル３Ａの下ランナー４２１と同様の部材で、縦枠４３および吸音材３２の下端部を保持するとともに、面板５が固定される。下ランナー受部材４２２は、傾斜界壁パネル３Ａの下ランナー受部材４２２と同様の部材で、その上片が下ランナー４２１の下片に固定されている。下ランナー４２１と下ランナー受部材４２２の固定は、傾斜界壁パネル３Ａの下ランナー４２１と下ランナー受部材４２２の固定と同様に固定される。そして、この下ランナー受部材４２２が、傾斜界壁パネル３Ａの場合と同様に小屋梁２２や桁等に固定されることにより、下枠４２が小屋梁２２や桁等に固定されるものである。
【００５４】
縦枠４３（スタッド）は、図１３に示すように、傾斜界壁パネル３Ａの縦枠４３と同様の部材である。縦枠４３により上枠４１および下枠４２が接続されて、上枠４１と下枠４２と縦枠４３とで枠材４が構成される。本実施形態では、縦枠４３は、上枠４１および下枠４２の長手方向の両端部にそれぞれ設けられる側枠４３１、両側の側枠４３１の間に設けられる中間枠４３２と、を有している。
【００５５】
縦枠４３の上ランナー４１４および下ランナー４２１への固定も、傾斜界壁パネル３Ａの場合と同様に行われる。さらに、間仕切り方向に二本の縦枠４３が離間して設けられる点、枠材４の両側にそれぞれ面板５（内張り面板５１、外張り面板５２）が設けられる点、両縦枠４３の間に吸音材３２が設けられる点も、傾斜界壁パネル３Ａの場合と同様である。
【００５６】
水平界壁パネル３Ｂの上部は、図１３Ｄに示す接続部材６（便宜上、水平用接続部材６Ｂとする）により母屋２１に接続されるものである。接続部材６、母屋２１の長手方向に沿う突出部２１１（下フランジ）を挟持する挟持部６３と、水平界壁パネル３Ｂの上部に固定される固定部６４と、を有する。挟持部６３は、第一挟持片６３１、第二挟持片６１５を有する。第一挟持片６３１は、図１３Ｄ、図１４に示すように、母屋２１に当接する当接片６３２と、第二挟持片６１５と連結されるための連結片６３３と、を有する。当接片６３２は、連結片６３３と同一平面上に連続している。連結片６３３は、ボルト挿通孔６３４を有する。第二挟持片６１５は、図６に示す傾斜界壁パネル３Ａの第二挟持片６１５と同様のものであり、ボルト６２１およびナット６２２により第一挟持片６３１に固定される。
【００５７】
図１４に示すように、固定部６４は、連結片６３３から連設されて上部に固定されるための固定片６４１を有する。固定片６４１は、連結片６３３から直角に突出し、ボルト挿通孔６４２を有する。
【００５８】
図１３Ｄに示すように、固定片６４１のボルト挿通孔６４２と、上補強枠４１５の縦片に形成されたボルト挿通孔にボルト６５が挿通されてナット６６により締結され、水平用接続部材６Ｂが水平界壁パネル３Ｂの上部に固定される。図１３Ａに示すように、水平用接続部材６Ｂが上枠４１の長手方向に沿って複数設けられている。水平用接続部材６Ｂの挟持部６３が突出部２１１を受け入れる受け入れ方向（すなわち第一挟持片６３１および第二挟持片６１５の開口方向）は、図１３に示すように上枠４１の長手方向に直交する水平方向である。
【００５９】
水平界壁パネル３Ｂの下端部を小屋梁２２や桁等に固定する。本実施形態では、傾斜界壁パネル３Ａの場合と同様に（図７参照）、桁等の上フランジに形成されているボルト挿通孔と、下ランナー受部材４２２のボルト挿通孔とにボルトが挿通されて、ナットにより締結される。
【００６０】
次に、図１５に示すように、水平界壁パネル３Ｂの上端部を母屋２１に固定する。本実施形態では、母屋２１の突出部２１１を、下側から第一挟持片６３１が、上側から第二挟持片６１５が当接して、第一挟持片６３１と第二挟持片６１５とで突出部２１１を挟持する。
【００６１】
このように、水平界壁パネル３Ｂが設けられることにより、小屋裏空間が間仕切り壁により軒棟方向に間仕切られる。
【００６２】
本実施形態では、さらに目板７（便宜上、水平上目板７３とする）が設けられる。水平上目板７３は、図１６に示すように、水平界壁パネル３Ｂの上端部と、屋根構造体１との間に設けられる。水平上目板７３は、水平界壁パネル３Ｂが有する面板５と同様の石膏ボード等からなる面板により構成される。水平上目板７３は、内張り面板７３１と、外張り面板７３２と、を備える。本実施形態においても、内張り面板５１と外張り面板５２との突き合わせ部と、内張り面板７３１と外張り面板７３２との突き合わせ部の上下位置がずれて、防火性能が向上する。
【００６３】
さらに、図示しないが隣接する水平界壁パネル３Ｂ間には、目板７（便宜上、水平横目板とする）が設けられてもよい。
【００６４】
次に、他の実施形態について図１７ないし図１９に基いて説明する。
【００６５】
図１５、図１６に示す上述した実施形態の水平界壁パネル３Ｂの母屋２１への接続構造にあっては、水平界壁パネル３Ｂが母屋２１の直下にある場合に限定される。そこで、別の実施形態の水平界壁パネル３Ｂの母屋２１への接続構造にあっては、水平界壁パネル３Ｂを設けようとする箇所の真上に母屋２１がない場合でも、水平界壁パネル３Ｂが母屋２１に対して固定可能なように、母屋間架設部材８および固定部材２１０が設けられている。
【００６６】
母屋間架設部材８は、図１９Ａに示すように、隣接する母屋２１間の距離より若干短い長手方向長さを有する。母屋間架設部材８は、図１８に示すように、長手方向における端部にそれぞれ、傾斜用接続部材６Ａが設けられる。傾斜用接続部材６Ａの挟持部６１が突出部２１１を受け入れる受け入れ方向は、母屋間架設部材８の長手方向に概ね沿う方向となっている。
【００６７】
図１８Ｂに示すように、母屋間架設部材８には、長手方向に沿って複数の固定部としての孔８１が形成されている。
【００６８】
母屋間架設部材８は、図１７に示すように、水平界壁パネル３Ｂを設置しようとする箇所に応じて、隣接する母屋２１間にそれぞれ架設される。母屋間架設部材８の母屋２１への固定は、傾斜界壁パネル３Ａの傾斜用接続部材６Ａの母屋２１への固定と同じ要領で行う。
【００６９】
そして、母屋２１間に架設された二本の母屋間架設部材８に固定部材２１０が固定される。図１９Ｂに示すように、固定部材２１０は、本実施形態ではＬ字状の断面を有する所定の長さのアングル材で主体が構成され、その端部に、ボルト挿通孔が形成された固定片を備えている。母屋間架設部材８に前記固定片を当てて、前記ボルト挿通孔および孔８１にボルトを挿通し、ナットを締結して固定部材２１０を母屋間架設部材８に固定する。そして、固定部材２１０の下フランジが、水平界壁パネル３Ｂの水平用接続部材６Ｂの挟持部６３が挟持する突出部となっている。
【００７０】
水平用接続部材６Ｂは、固定部材２１０の直下に配置される。そして、水平界壁パネル３Ｂの水平用接続部材６Ｂの固定部材２１０への固定は、図１５に示す上述した実施形態における水平界壁パネル３Ｂの水平用接続部材６Ｂの母屋２１への固定と同じ要領で行う。
【００７１】
これにより、水平界壁パネル３Ｂを設けようとする箇所の真上に母屋２１がない場合でも、水平界壁パネル３Ｂが母屋２１に対して固定可能となり、設計の自由度が高いものとなる。
【符号の説明】
【００７２】
１    屋根構造体
１１  垂木
１２  野地板
１３  屋根材
２    小屋裏構造体
２１  母屋
２２  小屋梁
２３  束
３    小屋裏界壁パネル
３Ａ  傾斜界壁パネル
３Ｂ  水平界壁パネル
３１  枠間
３２  面板間
４  枠材
４１  上枠
４２  下枠
４３  縦枠
５    面板
５１  内張り面板
５２  外張り面板
６    接続部材
６Ａ  傾斜用接続部材
６Ｂ  水平用接続部材
６０  固定部
６１  挟持部
６３  挟持部
６４  固定部
６５  ボルト
６６  ナット
７    目板
７１  傾斜上目板
７２  傾斜横目板
７３  水平上目板
８    母屋間架設部材
【図１】
0006564278.tif 000002
【図２】
0006564278.tif 000003
【図３】
0006564278.tif 000004
【図４】
0006564278.tif 000005
【図５】
0006564278.tif 000006
【図６】
0006564278.tif 000007
【図７】
0006564278.tif 000008
【図８】
0006564278.tif 000009
【図９】
0006564278.tif 000010
【図１０】
0006564278.tif 000011
【図１１】
0006564278.tif 000012
【図１２】
0006564278.tif 000013
【図１３】
0006564278.tif 000014
【図１４】
0006564278.tif 000015
【図１５】
0006564278.tif 000016
【図１６】
0006564278.tif 000017
【図１７】
0006564278.tif 000018
【図１８】
0006564278.tif 000019
【図１９】
0006564278.tif 000020